(57)【要約】【課題】自動搬送路を通行する通行人に対して、誤検出することなく表示部の表示内容を知らせる。【解決手段】本発明において、電子看板（３Ａ〜３Ｆ）の点灯を制御する電子看板群制御部（１００）は、センサ（１１）の通行人（４Ａ）の検出情報を入力して、通行人（４Ａ）がセンサ（１１）の検出位置から電子看板（３Ａ〜３Ｆ）がある位置まで到達するタイミングを算出し、この算出されたタイミングに合わせて電子看板（３Ａ〜３Ｆ）を点灯させる。【選択図】図１
2014145944.tif 000002
【特許請求の範囲】
【請求項１】
自動搬送路を通行する通行人に対し情報を表示する表示部と、
上記表示部よりも上記自動搬送路の通行方向の上流側の検出位置にいる上記通行人を検出する検出部と、
上記表示部の点灯を制御する点灯制御部と、を備え、
上記点灯制御部は、上記検出部の検出情報を入力して、上記通行人が上記検出位置から上記表示部がある位置まで到達するタイミングを算出し、該算出されたタイミングに合わせて上記表示部を点灯させることを特徴とする情報表示装置。
【請求項２】
上記表示部は、上記自動搬送路の通行方向に沿って複数設置されており、
上記点灯制御部は、上記複数の表示部について、上記検出位置に最も近い表示部から上記進行方向へ順に点灯させることを特徴とする請求項１に記載の情報表示装置。
【請求項３】
上記検出位置は、上記自動搬送路の入り口に位置していることを特徴とする請求項１または２に記載の情報表示装置。
【請求項４】
上記自動搬送路は、複数の通行人が進行方向に垂直な方向に並んで通行することが可能な搬送路であるとともに、自動搬送路上を進行方向へ停止せずに移動する通行人のための移動用の列があり、
上記検出位置は、上記自動搬送路における上記移動用の列以外の領域に位置していることを特徴とする請求項１〜３の何れか１項に記載の情報表示装置。
【請求項５】
自動搬送路を通行する通行人に対し表示部の情報を表示する情報表示方法であって、
上記表示部よりも上記自動搬送路の通行方向の上流側の検出位置にいる上記通行人を検出する検出工程と、上記表示部の点灯を制御する点灯制御工程と、を含み、
上記点灯制御工程では、上記検出工程での検出情報から、上記通行人が上記検出位置から上記表示部がある位置まで到達するタイミングを算出し、該算出されたタイミングに合わせて上記表示部を点灯させることを特徴とする情報表示方法。
【発明の詳細な説明】
【技術分野】
【０００１】
本発明は、情報表示装置および情報表示方法に関する。
【背景技術】
【０００２】
電子看板システムなどの情報表示装置の主な目的は、通行人に対して、通行人の目をその電子看板システムに向けさせて、その電子看板システムの存在を知らせ、かつその電子看板システムに表示される店舗の名称等によってその店舗の存在を知ってもらうことである。
【０００３】
このような目的を達成する電子看板システムの従来技術として、例えば特許文献１の技術が挙げられる。特許文献１に記載された情報表示装置は、予め定める距離以内に人が接近したことを検出する検出手段を有している。そして、この検出手段が人を検出したときと人を検出しなかったときとで、表示手段に表示する内容を変えるようになっている。
【先行技術文献】
【特許文献】
【０００４】
【特許文献１】特開２０１２−５３３０６号公報（２０１２年３月１５日公開）
【発明の概要】
【発明が解決しようとする課題】
【０００５】
しかしながら、上記従来の特許文献１に開示された情報表示装置では、必ずしも有効に電子看板の存在を通行人に知らせることができない（アイキャッチできない）という課題が残されている。
【０００６】
例えば、図７に示されるような上り用のエスカレータ１および下り用エスカレータ２に沿う壁面それぞれに、複数の電子看板（表示手段）からなる電子看板群が配置されている場合、特許文献１の技術では、各エスカレータを通行する通行人に対して、有効に電子看板の存在を知らせることが困難である。
【０００７】
図７に示されるように、通常、エスカレータは、フロアＡからフロアＡよりも上の階にあるフロアＢへ向かう上り用エスカレータ１と、フロアＢからフロアＡへ向かう下り用エスカレータで構成されている。そして、上り用エスカレータ１および下り用エスカレータ２は、進行方向が互いに平行になるように並列し、かつ、この並列方向から見て交差するように配置されている。そして、図７のエスカレータの配置に特許文献１の技術を適用した情報表示装置は、上り用エスカレータ１を利用する通行人４Ａおよび下り用エスカレータ２を利用する通行人４Ｂが同時に、上り用エスカレータ１に沿う壁面に配置された電子看板群３を見ることができる構成になっている。また、特許文献１の技術では、人を検出したときと人を検出しなかったときとで、電子看板に表示する内容を変える必要がある。それゆえ、図７のエスカレータの配置に特許文献１の技術を適用すると、人の接近を検出する検出手段（いわゆる人感センサ）は、電子看板群３を構成する電子看板それぞれに配置されることになる。
【０００８】
このように図７のエスカレータの配置に特許文献１の技術を適用した情報表示装置では、例えば、上り用エスカレータ１を通行する通行人４Ａに対して電子看板群３の存在を有効に知らせることは困難である。通行人４Ａおよび通行人４Ｂが同時に、電子看板群３を見ることができる構成になっているので、電子看板群３を構成する電子看板それぞれに配置された検出手段は、通行人４Ｂも誤検出するおそれがある。その結果、電子看板群３の存在を知らせる必要がない通行人４Ｂに対しても、電子看板群３を点灯することが頻繁に発生する。また、通行人４Ａは、下り用エスカレータ２に沿う壁面に配置された電子看板群（不図示）に配置された検出手段によって誤検出されるおそれもある。それゆえ、通行人４Ａに対し、点灯させる必要がない下り用エスカレータ２に沿う壁面に配置された電子看板群を点灯させてしまうおそれがある。
【０００９】
すなわち、特許文献１の技術では、エスカレータ利用者（通行人４ＡおよびＢ）が電子看板のちょうど横を通過したときのみ電子看板を点灯させるによって、エスカレータ利用者にアイキャッチさせるという目的を達成することが困難である。また、エスカレータに関わらず、動く歩道の場合でも同様の問題が生じる。
【００１０】
本発明は、上記の問題点に鑑みて成されたものであり、その目的は、自動搬送路を通行する通行人に対して、誤検出することなく、表示部の表示内容を知らせることが可能な情報表示装置および情報表示方法を提供することにある。
【課題を解決するための手段】
【００１１】
上記の課題を解決するために、本発明の一態様に係る情報表示装置は、自動搬送路を通行する通行人に対し情報を表示する表示部と、上記表示部よりも上記自動搬送路の通行方向の上流側の検出位置にいる上記通行人を検出する検出部と、上記表示部の点灯を制御する点灯制御部と、を備え、上記点灯制御部は、上記検出部の検出情報を入力して、上記通行人が上記検出位置から上記表示部がある位置まで到達するタイミングを算出し、該算出されたタイミングに合わせて上記表示部を点灯させることを特徴としている。
【００１２】
また、上記の課題を解決するために、本発明の一態様に係る情報表示方法は、自動搬送路を通行する通行人に対し表示部の情報を表示する情報表示方法であって、上記表示部よりも上記自動搬送路の通行方向の上流側の検出位置にいる上記通行人を検出する検出工程と、上記表示部の点灯を制御する点灯制御工程と、を含み、上記点灯制御工程では、上記検出部の検出情報から、上記通行人が上記検出位置から上記表示部がある位置まで到達するタイミングを算出し、該算出されたタイミングに合わせて上記表示部を点灯させることを特徴としている。
【発明の効果】
【００１３】
本発明の一態様によれば、自動搬送路を通行する通行人に対して、誤検出することなく、表示部の表示内容を知らせることができる。
【図面の簡単な説明】
【００１４】
【図１】本発明の実施形態１に係る情報表示装置の概略構成を示し、（ａ）は、側方から見た構成を模式的に示した図であり、（ｂ）は、（ａ）の情報表示装置におけるセンサの検出範囲の一例を示した図である。
【図２】図１の情報表示装置の電子看板群制御部における電子看板群の制御系の概略構成を示すブロック図である。
【図３】図１の情報表示装置の電子看板群制御部による電子看板群の点灯制御動作を示すフローチャートである。
【図４】図１の情報表示装置の電子看板群制御部による各電子看板の点灯動作のタイミングチャートの一例を示すグラフである。
【図５】本発明の実施形態２に係る情報表示装置におけるセンサの検出範囲の一例を示した図であり、（ａ）は、上り用エスカレータの入り口において向かって左側に検出範囲がある場合を示し、（ｂ）は、上り用エスカレータの入り口において向かって右側に検出範囲がある場合を示す。
【図６】本発明の実施形態３に係る情報表示装置の電子看板群制御部による各電子看板の点灯動作のタイミングチャートの一例を示すグラフである。
【図７】特許文献１の情報表示装置をエスカレータに適用した場合における課題を説明するための説明図である。
【発明を実施するための形態】
【００１５】
〔実施形態１〕
以下、本発明の一実施形態について、図１〜４を参照して詳細に説明する。図１は、本実施形態に係る情報表示装置（以下、本情報表示装置とする）の概略構成を示し、図１の（ａ）は、側方から見た構成を模式的に示した図であり、図１の（ｂ）は、図１の（ａ）の情報表示装置におけるセンサの検出範囲の一例を示した図である。
【００１６】
図１に示される本情報表示装置は、フロアＡからフロアＡよりも上の階にあるフロアＢへ向かう上り用エスカレータ１と、フロアＢからフロアＡへ向かう下り用エスカレータで構成されたエスカレータに適用されている。そして、図１の（ａ）では、本情報表示装置として、情報表示装置１０および情報表示装置２０が示されている。情報表示装置１０は、フロアＡからフロアＢへ向かう通行人４Ａに対して、上り用エスカレータ１に設置された電子看板群３の表示情報をアイキャッチさせる装置である。電子看板群３は、上り用エスカレータ１の壁面に沿って並んだ複数の電子看板３Ａ〜３Ｆで構成されている。また、情報表示装置２０は、フロアＢからフロアＡへ向かう通行人４Ｂに対して、下り用エスカレータ２の沿う壁面に設置された電子看板群５の表示情報をアイキャッチさせる装置である。
【００１７】
図１に示されるように、情報表示装置１０は、センサ１１と、電子看板群３と、電子看板群３を構成する電子看板３Ａ〜３Ｆそれぞれの点灯を制御する電子看板群制御部１００とを備えている。また、情報表示装置２０は、センサ２１と、電子看板群５と、電子看板群５を構成する電子看板５Ａ〜５Ｆそれぞれの点灯を制御する電子看板群制御部２００とを備えている。
【００１８】
センサ１１は、上り用エスカレータ１の入り口（乗り場）付近に設置され、センサ２１は、下り用エスカレータ２の入り口付近に設置されている。センサ１１は、上り用エスカレータ１における予め設定された位置（図１の構成では、上り用エスカレータ１の入り口付近の位置）に通行人４Ａが来たことを検出する。また、センサ２１は、下り用エスカレータ２における予め設定された位置（図１の構成では、下り用エスカレータ２の入り口付近の位置）に通行人４Ｂが来たことを検出する。センサ１１および２１は、例えば、赤外線を用いて人を検出する、いわゆる光学的人感センサであってもよい。また、エレベータの入り口付近の床面に設置され、人がこの床面を踏んだときに反応する感圧センサであってもよい。センサ１１の検出領域１１１は、例えば、図１の（ｂ）に示されるように、上り用エスカレータ１の入り口（乗り場）の領域である。これによって、センサ１１は、入り口から上り用エスカレータ１を利用する通行人４Ａを検出する。このように、本情報処理装置において、センサ１１は、上り用エスカレータ１を利用する通行人４Ａを該上り用エスカレータ１の入り口で検出するように設定されている。同様に、センサ２１は、下り用エスカレータ２を利用する通行人４Ｂを該下り用エスカレータ２の入り口で検出するように設定されている。
【００１９】
センサ１１および２１は、通行人４Ａおよび４Ｂを検出したとき、電子看板群制御部１００および２００へ検出信号を出力する。電子看板群制御部１００は、センサ１１の検出信号に応じて、電子看板群３を構成する電子看板３Ａ〜３Ｆを点灯する、あるいは消灯する。同様に、電子看板群制御部２００は、センサ２１の検出信号に応じて、電子看板群５を構成する電子看板５Ａ〜５Ｆを点灯する、あるいは消灯する。
【００２０】
本情報表示装置において、センサ１１が通行人４Ａを上り用エスカレータ１の入り口で検出すると、電子看板群制御部１００は、入り口から近い電子看板３Ａから出口に近い電子看板３Ｆへ向かって、電子看板３Ａ、３Ｂ、３Ｃ、３Ｄ、３Ｅ、３Ｆの順に点灯するように制御する。そして、電子看板３Ａ〜３Ｆはそれぞれ、通行人４Ａが各電子看板に接近するタイミングで点灯するように制御されている。これによって、アイキャッチ効果が高い情報表示装置を実現することができる。
【００２１】
図２は、電子看板群制御部１００および２００における電子看板群３および４の制御系の概略構成を示すブロック図である。図２に示されるように、電子看板群制御部１００は、主制御部１２と、タイマー部１３と、電子看板群点灯部１４と、を備えている。また、電子看板群制御部２００は、主制御部２２と、タイマー部２３と、電子看板群点灯部２４と、を備えている。
【００２２】
電子看板群点灯部１４は、電子看板点灯部１４Ａ〜１４Ｆで構成されている。電子看板点灯部１４Ａ〜１４Ｆはそれぞれ、電子看板３Ａ〜３Ｆを点灯する。また、電子看板群点灯部２４は、電子看板点灯部２４Ａ〜２４Ｆで構成されている。電子看板点灯部２４Ａ〜２４Ｆはそれぞれ、電子看板５Ａ〜５Ｆを点灯する。
【００２３】
主制御部１２は、ＣＰＵや専用プロセッサなどの演算処理部、および、ＲＡＭ、ＲＯＭ、ＨＤＤなどの記憶部（いずれも図示せず）などにより構成されるコンピュータ装置である。そして、上記記憶部に記憶されている各種情報および各種制御を実施するためのプログラムを読み出して実行することにより、センサ１１からの検出信号やタイマー部１３からの出力信号に基づいて、電子看板点灯部１４Ａ〜１４Ｆを制御し、電子看板３Ａ〜３Ｆの点灯を制御する。上記記憶部には、電子看板３Ａ〜３Ｆの点灯タイミングおよび点灯期間が記憶されている。
【００２４】
タイマー部１３は、センサ１１からの検出信号に基づき、センサ１１が通行人４Ａを検出した時点から経過した時間を計測する。そして、計測された経過時間を主制御部１２へ出力する。
【００２５】
ここで、電子看板群制御部１００による電子看板群３の点灯制御動作、すなわち本情報表示装置による情報表示方法について、図３に基づいて説明する。図３は、電子看板群制御部１００による電子看板群３の点灯制御動作を示すフローチャートである。電子看板群制御部２００による電子看板群５の点灯制御動作は、電子看板群制御部１００による電子看板群３の点灯制御動作と同様であるので、説明を省略する。
【００２６】
図３に示されるように、電子看板群制御部１００による電子看板群３の点灯制御動作は、検出工程Ｓ１と、点灯制御工程と、を含む。そして、点灯制御工程は、算出工程Ｓ２と、点灯工程Ｓ３と、を含む。検出工程Ｓ１では、センサ１１によって、電子看板群３よりも上り用エスカレータ１の通行方向の上流側の検出位置（すなわち入り口）にいる通行人４Ａを検出する。
【００２７】
そして、上記点灯制御工程において、まず、センサ１１からの検出信号が入力されると、主制御部１２は、タイマー部１３に対し、通行人４Ａを検出した時点から経過した時間の計測を開始させる。
【００２８】
次に、主制御部１２は、センサ１１からの検出情報から、通行人４Ａが上り用エスカレータ１の入り口から電子看板３Ａ〜３Ｆそれぞれがある位置まで到達するタイミングを算出する（算出工程Ｓ２）。そして、主制御部１２は、算出工程Ｓ２にて算出されたタイミングに合わせて、電子看板点灯部１４Ａ〜１４Ｆを制御して、順次電子看板３Ａ〜３Ｆを点灯させる。なお、上記点灯タイミングや電子看板３Ａ〜３Ｆの点灯期間は、主制御部１２の上記記憶部に記憶されていてもよい。
【００２９】
ここで、電子看板３Ａ〜３Ｆの点灯タイミングは、上り用エスカレータ１の長さや速度、電子看板３Ａ〜３Ｆの位置によって設定することができる。すなわち、上り用エスカレータ１は一定の速度で動いているので、電子看板３Ａ〜３Ｆの位置（入り口からの距離）に基づいて、通行人４Ａが入り口で上り用エスカレータ１に乗ってから電子看板３Ａ〜３Ｆそれぞれの近傍に到達するまでの時間（すなわち点灯タイミング）を算出することができる。また、電子看板３Ａ〜３Ｆの点灯期間は、通行人４Ａが電子看板３Ａ〜３Ｆそれぞれを通過する時間に基づいて設定される。
【００３０】
本情報表示装置では、センサ１１によって入り口で通行人４Ａを検出した時点から経過した時間をタイマー部１３によって計測し、計測された経過時間と上述のように設定された点灯タイミングおよび点灯期間とに基づき、電子看板３Ａ〜３Ｆを順次点灯する。これによって、上り用エスカレータ１を通行する通行人４Ａが電子看板３Ａ〜３Ｆそれぞれに接近した時点で、電子看板３Ａ〜３Ｆそれぞれが点灯することになる。その結果、アイキャッチ効果が高い情報表示装置を実現することができる。
【００３１】
図４は、電子看板群制御部１００による電子看板３Ａ〜３Ｆの点灯動作のタイミングチャートである。図４のチャートにおいて、横軸は、センサ１１によって入り口で通行人４Ａを検出した時点から経過した時間を示す。
【００３２】
ここで、時刻Ｔ０において、センサ１１が、上り用エスカレータ１を利用する通行人４Ａを検出したとする。このとき、主制御部１２は、タイマー部１３をリセットするように制御し、時刻Ｔ０から経過した時間の計測を開始する。続いて、電子看板群３において、例えば、電子看板点灯部１４Ａを制御して、タイマー部１３にて計測された経過時間と記憶部にて記憶された点灯タイミングおよび点灯期間とに基づいて、最も入り口に近い電子看板３ＡをΔＴの期間だけ点灯させる。
【００３３】
このとき、上り用エスカレータ１の移動速度をＶ［ｍ／ｓ］、上り用エスカレータ１の入り口から電子看板３Ａまでの距離をＬ１［ｍ］とする。主制御部１２は、電子看板点灯部１４Ａを制御して、タイマー部１３にて計測される経過時間に基づいて、下記の関係式（１）を満たす時刻Ｔ１に合わせて電子看板３Ａを点灯させる。
Ｔ１−Ｔ０＝Ｌ１／Ｖ［ｓｅｃ］                                          （１）
また、電子看板３Ａを点灯する期間ΔＴは、通行人４Ａが電子看板３Ａを通過する時間を元に設定することができる。例えば、通行人４Ａが電子看板３Ａ（の中心）から前後１ｍの領域を通過する期間だけ電子看板３Ａを点灯させる場合、ΔＴは、下記の関係式（２）を満たすように設定され得る。
ΔＴ＝２／Ｖ［ｓｅｃ］                                                  （２）
次に、主制御部１２は、電子看板点灯部１４Ｂを制御して、タイマー部１３にて計測された経過時間と記憶部にて記憶された点灯タイミングおよび点灯期間とに基づいて、電子看板３ＢをΔＴの期間だけ点灯させる。上り用エスカレータ１の入り口から電子看板３Ｂまでの距離をＬ２［ｍ］とすると、電子看板３Ｂを点灯させるタイミングの時刻Ｔ２は、下記の関係式（３）を満たすように、設定される。
Ｔ２−Ｔ０＝Ｌ２／Ｖ［ｓｅｃ］                                          （３）
また、電子看板３Ｃ〜３Ｆを点灯させるタイミングの時刻Ｔ３〜Ｔ６は、時刻Ｔ１、Ｔ２と同様に、上り用エスカレータ１の入り口から電子看板３Ｃ〜３Ｆまでの距離Ｌ３〜Ｌ６から設定することができる。すなわち、電子看板３Ｃ〜３Ｆを点灯させるタイミングの時刻Ｔ３〜Ｔ６は、下記の関係式（４）〜（７）を満たすように、設定される。
Ｔ３−Ｔ０＝Ｌ３／Ｖ［ｓｅｃ］                                          （４）
Ｔ４−Ｔ０＝Ｌ４／Ｖ［ｓｅｃ］                                          （５）
Ｔ５−Ｔ０＝Ｌ５／Ｖ［ｓｅｃ］                                          （６）
Ｔ６−Ｔ０＝Ｌ６／Ｖ［ｓｅｃ］                                          （７）
上述したように、電子看板群制御部１００は、通行人４Ａが各電子看板３Ａに到達する時間を計算し、該計算結果に基づいて、電子看板３Ａ〜３Ｆを順次点灯させる制御を行う。また、複数の通行人４Ａが連続して上り用エスカレータ１を利用した場合、電子看板群制御部１００は、上記と同様に、電子看板３Ａ〜３Ｆを順次点灯させる制御を行う。
【００３４】
また、電子看板３Ａ〜３Ｆを点灯中、センサ１１が他の通行人４Ａを検出した場合、主制御部１２は、タイマー部１３をリセットするように制御し、時刻Ｔ７から経過した時間の計測を開始する。そして、電子看板群３において、電子看板点灯部１４Ａ〜１４Ｆを順次制御して、タイマー部１３にて計測された経過時間と記憶部にて記憶された点灯タイミングおよび点灯期間とに基づいて、電子看板３Ａ〜３ＦをΔＴの期間だけ順次点灯させる。電子看板３Ａ〜３Ｆの点灯タイミングおよび点灯期間は、上記と同様に設定される。
【００３５】
以上のように、本情報表示装置は、上り用エスカレータ１を通行する通行人４Ａに対し、電子看板群３と、センサ１１と、電子看板群制御部１００とを備えている。電子看板群３は、自動搬送路としての上り用エスカレータ１を通行する通行人４Ａに対し情報を表示する。センサ１１は、電子看板群３よりも上り用エスカレータ１の通行方向の上流側の検出位置（例えば入り口）にいる通行人４Ａを検出する。電子看板群制御部１００は、電子看板群３の点灯を制御する。そして、このような構成において、電子看板群制御部１００は、センサ１１の検出情報を入力して、通行人４Ａが上記検出位置（例えば入り口）から電子看板群３の各電子看板３Ａ〜３Ｆがある位置まで到達するタイミングを算出する。そして、該算出されたタイミングに合わせて各電子看板３Ａ〜３Ｆを点灯させる。また、本情報表示装置は、下り用エスカレータ２を通行する通行人４Ｂに対し、電子看板群５と、センサ２１と、電子看板群制御部２００とを備えている。電子看板群５、センサ２１、および電子看板群制御部２００はそれぞれ、電子看板群３、センサ１１、および電子看板群制御部１００と同様の機能を有する。
【００３６】
このように、本情報表示装置では、上り用エスカレータ１および下り用エスカレータ２の通行人４Ａおよび４Ｂを乗り口で検出する。そして、通行人４Ａおよび４Ｂが電子看板群３および５の各電子看板３Ａ〜３Ｆおよび５Ａ〜５Ｆの近傍に到達する時間を計算する。そして、この計算結果に基づいて、電子看板３Ａ〜３Ｆおよび５Ａ〜５Ｆそれぞれの点灯、消灯を制御する。このため、図１のように上り用エスカレータ１および下り用エスカレータ２が隣接して配置されるような状況においても、各エスカレータを利用する通行人４Ａおよび４Ｂを誤検出することなく、効果的に電子看板の点灯および消灯を制御することができる。これによって、上り用エスカレータ１および下り用エスカレータ２を通行する通行人４Ａおよび４Ｂに対して、誤検出することなく、電子看板の表示内容を知らせることができる。これによって、エスカレータを利用する通行人に対してアイキャッチ効果の高く、かつ効果的な広告および宣伝を実現することができる。
【００３７】
また、本情報表示装置によれば、上り用エスカレータ１および下り用エスカレータ２に対して、利用する通行人４Ａおよび４Ｂがいない場合、電子看板群３および５は消灯される。このため、無用な電力消費がない情報表示装置を実現することができる。
【００３８】
なお、上記の形態では、本情報表示装置を適用する自動搬送路として、エスカレータを例にした。しかし、本情報表示装置を適用する自動搬送路は、エスカレータに限定されず、通行人を自動搬送させることが可能な通路であればよい。自動搬送路として、例えば「歩く歩道」を本情報表示装置に適用しても、上記と同様の効果を奏する。
【００３９】
また、図１に示す構成では、表示部としての電子看板群３および５は、上り用エスカレータ１および下り用エスカレータ４の側方の壁面に沿って配置されている。しかし、本情報表示装置における電子看板群３および５の配置は、図１に示された配置に限定されず、上り用エスカレータ１および下り用エスカレータ４を通行する通行人４Ａおよび４Ｂに対し情報を表示することができる配置であればよい。例えば、電子看板群３および５は、上り用エスカレータ１および下り用エスカレータ４の進行方向に沿って、通行人４Ａおよび４Ｂの頭上または足元の壁面に配置されていてもよい。
【００４０】
また、図１に示す構成では、表示部として、複数の電子看板３Ａ〜３Ｆからなる電子看板群が設けられていた。しかし、本情報表示装置に備えられる表示部は、複数に限らず、１つであってもよい。表示部が１つであっても、上記と同様の効果を奏する。
【００４１】
また、センサ１１の検出領域１１１は、上り用エスカレータ１の入り口付近の領域であった。しかし、センサ１１の検出領域１１１は、上り用エスカレータ１の入り口付近の領域に限定されず、上り用エスカレータ１の通行方向において、電子看板群３よりも上流の位置であればよい。
【００４２】
〔実施形態２〕
本発明の他の実施形態について、図５に基づいて説明すれば、以下のとおりである。なお、説明の便宜上、前記実施形態にて説明した部材と同じ機能を有する部材については、同じ符号を付記し、その説明を省略する。
【００４３】
実施形態１では、情報表示装置を適用する自動搬送路が１人乗りのエスカレータである構成について、説明した。しかし、本発明の情報表示装置を適用するエスカレータは、１人乗りのエスカレータに限定されず、２人乗りのエスカレータであってもよい。すなわち、本発明の情報表示装置を適用する自動搬送路は、１人乗りの搬送路に限定されず、複数の通行人が進行方向に垂直な方向に並んで通行することが可能な搬送路であってもよい。本実施形態の情報表示装置（以下、本情報表示装置とする）は、このような自動搬送路として、例えば２人乗りのエスカレータに適用した装置である。
【００４４】
本情報検出装置は、センサ１１および２１が通行人４Ａおよび４Ｂを検出する検出範囲が、実施形態１の情報表示装置と異なる。それ以外の、例えば、電子看板群制御部による電子看板の点灯動作は、実施形態１の情報表示装置と同様であるので、説明を省略する。
【００４５】
図５は、本情報表示装置におけるセンサ１１の検出範囲の一例を示す図である。図５の（ａ）は、上り用エスカレータ１’の入り口において向かって左側に検出領域１１１’がある場合を示し、図５の（ｂ）は、上り用エスカレータ１’の入り口において向かって右側に検出領域１１１’’がある場合を示す。図５に示されるように、本情報表示装置において、センサ１１の検出範囲は、上り用エスカレータ１’の入り口において、向かって左側の検出領域１１１’、向かって右側の検出領域１１１’’の何れかに設定される。すなわち、センサ１１は、上り用エスカレータ１’の入り口において、検出領域１１１’および検出領域１１１’’のうち、一方の領域を通過する通行人４Ａのみを検出し、他方の領域を通過する通行人４Ａを検出しない。このようなセンサ１１の検出範囲の設定について、以下に詳述する。
【００４６】
一般的に、２人乗りのエスカレータは、急いでいる通行人が利用する列と、急いでいない通行人が利用する列とに割り当てられている。すなわち、２人乗りのエスカレータでは、急いでいない通行人は、急いでいる通行人のために通行する列を片側に空けている。急いでいる通行人は、空いている上記片側の列上を歩いて移動する。このような、急いでいる通行人は、エスカレータによって移動することを主目的としている。それゆえ、急いでいる通行人に対して電子看板をタイミングよく点灯させても、通行人によってアイキャッチされる確率は低い。一方、急いでいない通行人に対して電子看板をタイミングよく点灯させた場合、通行人によってアイキャッチされる可能性が高くなり、より効果的な情報表示を実現することができる。
【００４７】
本実施形態の情報表示装置は、上記の点に着目し、アイキャッチされる可能性が高い「急いでいない通行人」に対し効率的に情報表示することを目的としている。本情報表示装置において、上り用エスカレータ１’の２つの列のうち、急いでいる通行人に対し右側の列が割り当てられる場合、センサ１１の検出範囲は、図５の（ａ）に示す検出領域１１１’に設定される。一方、急いでいる通行人に対し左側の列が割り当てられる場合、センサ１１の検出範囲は、図５の（ｂ）に示す検出領域１１１’’に設定される。
【００４８】
なお、上り用エスカレータ１’における「急いでいる通行人４Ａ」の列の割り当ては、当該上り用エスカレータ１’が設置された地域によって異なる。例えば、関東エリアでは、「急いでいる通行人」は、右側の列に割り当てられることが多い。一方、関西エリアでは、「急いでいる通行人」は、左側の列に割り当てられることが多い。
【００４９】
このため、本実施形態の情報表示装置では、このような地域の特性に応じて、センサ１１の検出領域を変更することができるようにする。例えば、センサ１１が光学的人感センサである場合、センサ１１は、「急いでいない通行人」に割り当てられた領域を検出できるように、片側に寄せて設置される。また、センサ１１が感圧センサである場合、センサ１１は、「急いでいない通行人」に割り当てられた領域を検出できるように、片側に寄せて設置される。このようにセンサ１１の検出領域の調整は可能である。
【００５０】
本情報表示装置によれば、急いでいない通行人に対してタイミングよく電子看板を点灯させることができる。その結果、より効果的な情報表示を行うことができる情報表示装置を実現できる。
【００５１】
〔実施形態３〕
本発明のさらに他の実施形態について、図６に基づいて説明すれば、以下のとおりである。なお、説明の便宜上、前記実施形態にて説明した部材と同じ機能を有する部材については、同じ符号を付記し、その説明を省略する。
【００５２】
実施形態１では、通行人４Ａおよび４Ｂに対する電子看板３Ａ〜３Ｆおよび５Ａ〜５Ｆの点灯期間ΔＴは、各電子看板において一定である構成であった。しかし、電子看板３Ａ〜３Ｆおよび５Ａ〜５Ｆの点灯期間は、各電子看板において異なっていてもよい。図６は、本実施形態の情報表示装置（以下、本情報表示装置とする）の電子看板群制御部１００による電子看板３Ａ〜３Ｆの点灯動作のタイミングチャートの一例を示すグラフである。
【００５３】
図６に示されるように、電子看板３Ｂの点灯期間ΔＴ２は、電子看板３Ａ、３Ｃ〜３Ｆの点灯期間ΔＴ１よりも長くなるように設定されていてもよい。これによって、上り用エスカレータ１を利用する通行人４Ａに対し、電子看板３Ａ、３Ｃ〜３Ｆよりも効果的に電子看板３Ｂをアイキャッチさせることができる。また、図６の例に限らず、電子看板群制御部１００は、電子看板群３におけるアイキャッチ対象の内容に応じて、適宜電子看板３Ａ〜３Ｆの点灯期間を制御することができる。つまり、通行人４Ａに対し特定の電子看板をアイキャッチさせるために、電子看板に応じて点灯期間を異ならせる。例えば、電子看板群３を構成する電子看板３Ａ〜３Ｆの表示内容を同一にすること等によって電子看板３Ａ〜３Ｆ間で表示内容を関連付けて、電子看板３Ａを短時間点滅させる、あるいは電子看板３Ｂを長く点灯させる等が挙げられる。これによって、電子看板群３を構成する電子看板３Ａ〜３Ｆのうち、特にアイキャッチさせたいアイキャッチ対象の電子看板の表示内容を、効率的に通行人４Ａに知らせることができる。さらに、アイキャッチ対象の電子看板の表示照度を他の電子看板よりも高くすることによって、アイキャッチ対象の電子看板の表示内容を際立たせて、通行人４Ａに知らせることができる。
【００５４】
本情報表示装置によれば、電子看板群３を構成する電子看板３Ａ〜３Ｆ個々の点灯期間を調整することによって、通行人４Ａに対してより効果的な情報表示を行うことができる。さらに、電子看板３Ａ〜３Ｆ個々の照度を調整することによって、通行人４Ａに対してさらに効果的な情報表示を行うことができる。
【００５５】
〔まとめ〕
本発明の態様１に係る情報表示装置は、自動搬送路（上り用エスカレータ１、下り用エスカレータ）を通行する通行人（４Ａおよび４Ｂ）に対し情報を表示する表示部（電子看板群３および５）と、上記表示部よりも上記自動搬送路の通行方向の上流側の検出位置にいる上記通行人を検出する検出部（センサ１１および２１）と、上記表示部の点灯を制御する点灯制御部（電子看板群制御部１００および２００）と、を備え、上記点灯制御部は、上記検出部の検出情報を入力して、上記通行人が上記検出位置から上記表示部がある位置まで到達するタイミングを算出し、該算出されたタイミングに合わせて上記表示部を点灯させることを特徴としている。
【００５６】
上記の構成によれば、上記点灯制御部は、上記検出部の検出情報を入力して、上記通行人が上記検出位置から上記表示部がある位置まで到達するタイミングを算出し、該算出されたタイミングに合わせて上記表示部を点灯させる。それゆえ、例えば、上記自動搬送路が互いに進行方向が逆になるように２つ並列しているような状況においても、各自動搬送路を利用する通行人を誤検出することなく、効果的に表示部の点灯および消灯を制御することができる。これによって、自動搬送路を通行する通行人に対して、誤検出することなく、表示部の表示内容を知らせることができる。さらには、自動搬送路を利用する通行人に対してアイキャッチ効果の高く、かつ効果的な情報表示を実現することができる。
【００５７】
本発明の態様２に係る情報表示装置は、上記態様１において、上記表示部（電子看板群３および５、電子看板３Ａ〜３Ｆおよび５Ａ〜５Ｆ）は、上記自動搬送路の通行方向に沿って複数設置されており、上記点灯制御部は、上記複数の表示部について、上記検出位置に最も近い表示部から上記進行方向へ順に点灯させてもよい。
【００５８】
上記の構成によれば、上記点灯制御部は、上記通行人の自動搬送路上の移動に合わせて、動的に複数の表示部を点灯させることになる。このように複数の表示部の点灯を動的に制御することによって、自動搬送路の通行人に対して表示部の表示情報の印象をより強く与えることができる。さらに、上記の構成によれば、通行人を検出する検出部は、個々の表示部に対し１つ設置する必要がなく、複数の表示部に対し１つ設置すればよい。それゆえ、より簡単な構成で、複数の表示部の点灯制御を行うことができる。
【００５９】
本発明の態様３に係る情報表示装置は、上記態様２において、上記点灯制御部は、上記複数の表示部のうち、最もアイキャッチさせたいアイキャッチ対象の表示部の点灯期間を長くする、あるいは点灯期間を短くし点滅させる構成であってもよい。
【００６０】
上記の構成によれば、アイキャッチ対象の表示部の表示内容を際立たせて、通行人に知らせることができる。
【００６１】
本発明の態様４に係る情報表示装置は、上記態様１から３において、上記検出位置は、上記自動搬送路の入り口に位置していてもよい。
【００６２】
本発明の態様５に係る情報表示装置は、上記態様１から４において、上記自動搬送路は、複数の通行人が進行方向に垂直な方向に並んで通行することが可能な搬送路であるとともに、自動搬送路上を進行方向へ停止せずに移動する通行人のための移動用の列があり、上記検出位置は、上記自動搬送路における上記移動用の列以外の領域に位置していてもよい。
【００６３】
複数の通行人が進行方向に垂直な方向に並んで通行することが可能な自動搬送路は、通常、自動搬送路上を進行方向へ停止せずに移動する通行人のための移動用の列、すなわち、「急いでいる通行人」のための列と、移動用の列以外の「急いでいない通行人」用の列とがある。
【００６４】
上記の構成によれば、上記検出部が通行人を検出する上記検出位置は、上記自動搬送路における上記移動用の列以外の領域に位置しているので、上記検出部は、「急いでいない通行人」を検出することになる。それゆえ、上記の構成によれば、急いでいない通行人に対してタイミングよく表示部を点灯させることができる。その結果、より効果的な情報表示を行うことができる情報表示装置を実現できる。
【００６５】
本発明の態様６に係る情報表示装置は、上記態様１から５において、上記自動搬送路は、互いに進行方向が逆になるように、少なくとも２つ並列した構成であってもよい。
【００６６】
上記自動搬送路を上記の構成としても、各自動搬送路を利用する通行人を誤検出することなく、効果的に表示部の点灯および消灯を制御することができる。
【００６７】
本発明の態様７に係る情報表示装置は、上記検出部が上記通行人を検出した時刻をＴ０とし、上記自動搬送路の移動速度をＶ［ｍ／ｓ］とし、上記検出位置から上記表示部までの距離をＬ［ｍ］としたとき、上記表示部の点灯のタイミングＴｎ（Ｔｎは、ｎ個目の表示部の点灯タイミングである）は、下記関係式から算出されてもよい。
【００６８】
Ｔｎ−Ｔ０＝Ｌ１／Ｖ［ｓｅｃ］
本発明の態様８に係る情報表示方法は、自動搬送路を通行する通行人に対し表示部の情報を表示する情報表示方法であって、上記表示部よりも上記自動搬送路の通行方向の上流側の検出位置にいる上記通行人を検出する検出工程と、上記表示部の点灯を制御する点灯制御工程と、を含み、上記点灯制御工程では、上記検出工程での検出情報から、上記通行人が上記検出位置から上記表示部がある位置まで到達するタイミングを算出し、該算出されたタイミングに合わせて上記表示部を点灯させる。これによって、自動搬送路を通行する通行人に対して、誤検出することなく、表示部の表示内容を知らせることができる。
【００６９】
本発明の態様９に係る情報表示方法は、本発明の態様１〜６に係る情報表示装置を用いた情報表示方法である。
【００７０】
〔本発明の別の表現〕
なお、本発明は、情報表示装置および情報表示方法として、以下の（１）〜（６）のように表現することができる。
【００７１】
（１）エスカレータや動く歩道を含む乗客コンベアの近傍に複数設置される電子看板を有する情報表示装置であって、該コンベア利用者を検出する検出手段と、該電子看板の点灯を制御する制御手段を有し、該検出手段が該利用者を検出した場合、該利用者が電子看板の近傍を通過する際に、該制御手段は、順次該電子看板を点灯させることを特徴とする情報表示装置。
【００７２】
（２）該検出手段は該乗客コンベアの乗り場近辺に設置され、乗り場付近において該コンベアの利用者を検出するものであり、該検出手段が該コンベアの利用者を検出した場合、該制御手段は該利用者が各電子看板の近傍を通過するタイミングを算出し、該電子看板を点灯させることを特徴とする（１）に記載の情報表示装置。
【００７３】
（３）該検出手段は該乗客コンベアの乗り場付近に設置され、かつ、該コンベアの乗車方向の中央部に対して左、もしくは、右側のみの該利用者を検出した場合、該制御手段は該利用者が各電子看板の近傍を通過するタイミングを算出し、該電子看板を点灯させることを特徴とする（１）または（２）に記載の情報表示装置。
【００７４】
（４）該制御手段は各電子看板の点灯時間を個別に設定できることを特徴とする（１）〜（３）に何れかに記載の情報表示装置。
【００７５】
（５）該制御手段は各電子看板の点灯時の照度を個別に設定することを特徴とする（１）〜（３）に何れかに記載の情報表示装置。
【００７６】
（６）エスカレータや動く歩道を含む乗客コンベアの近傍に複数設置される電子看板を有する情報表示装置を用いた情報表示方法であって、該コンベア利用者を検出する検出手段と、該電子看板の点灯を制御する制御手段を有し、該検出手段が該利用者を検出した場合、該利用者が電子看板の近傍を通過する際に、該制御手段は、順次該電子看板を発光させることを特徴とする情報表示方法。
【００７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７８】
本発明は、エスカレータや動く歩道等の自動搬送路の側方の壁に沿って配置される電子看板に対して好適に利用することができる。
【符号の説明】
【００７９】
１  上り用エスカレータ（自動搬送路）
２  下り用エスカレータ（自動搬送路）
３  電子看板群（表示部）
３Ａ〜３Ｆ  電子看板（表示部）
４Ａ、４Ｂ  通行人
５  電子看板群（表示部）
５Ａ〜５Ｆ  電子看板（表示部）
１１，２１  センサ（検出部）
１３，２３  タイマー部
１４，２４  電子看板群点灯部
１４Ａ〜１４Ｆ、２４Ａ〜２４Ｆ  電子看板点灯部
１００，２００  電子看板群制御部（点灯制御部）
１１１，１１１’，１１１’’  検出領域（検出位置）
Ｓ１  検出工程
Ｓ２  算出工程（点灯制御工程）
Ｓ３  点灯工程（点灯制御工程）
【図１】
2014145944.tif 000003
【図２】
2014145944.tif 000004
【図３】
2014145944.tif 000005
【図４】
2014145944.tif 000006
【図５】
2014145944.tif 000007
【図６】
2014145944.tif 000008
【図７】
2014145944.tif 000009